(57)【要約】【課題】調整装置が簡単で、調整誤差が少なく、簡単な調整で、信号品質の安定した光ヘッド装置を提供することを目的とする。【解決手段】対物レンズ７を透過する光強度分布の中心と開口の中心とを高精度に調整するために、複数に分割された受光部を配備された光強度中心認識用の受光素子１０を備え、その光強度ズレを認識し、光強度が一致するように調整することを特徴とする。この結果、調整装置が簡単で、調整誤差が少なく、簡単な調整で、信号品質の安定した光ヘッド装置が得られる。【選択図】      図１
2004310845.tif 000002
【特許請求の範囲】
【請求項１】
光を出射する光源と、
前記光源からの光を情報媒体上へ導く光学系と、
前記光学系からの光を集光して前記情報媒体上に光スポットを形成する対物レンズと、
前記光学系に介装されて前記情報媒体で反射した光を回折させ回折光を得るための回折素子と、
前記回折素子より回折した回折光を検出する回折光受光部を備えた第１の受光素子と、
前記光源からの光強度分布を受光するための第２の受光素子と
を設けたことを特徴とする光ヘッド装置。
【請求項２】
前記第２の受光素子の受光部を複数に分割したことを特徴とする
請求項１記載の光ヘッド装置。
【請求項３】
前記第２の受光素子を、略平行光で受光する位置に配備したことを特徴とする請求項１または請求項２に記載の光ヘッド装置。
【請求項４】
前記第２の受光素子を、前記光源からの光を情報媒体上へ導く光学系のうちの、光源の光路を前記情報媒体の方向に折り曲げるハーフミラーの背面に、このハーフミラーからの透過光を受光するように配設したことを特徴とする
請求項３記載の光ヘッド装置。
【請求項５】
光源からの光を光学系を介して対物レンズによって情報媒体上に光スポットを形成し、前記情報媒体で反射した光を回折素子によって回折させ、前記回折素子より回折した回折光を第１の受光素子で検出して記録再生する光ヘッド装置の前記光源の傾きを調整するに際し、
複数に分割された受光部を設けた第２の受光素子によって前記光源からの光強度分布を受光し、前記複数の受光部の強度演算の結果が目標値に近づくように前記光源の傾きを調整する
光ヘッド装置の製造方法。
【請求項６】
前記第２の受光素子として、受光部がＸ方向に２分割された第１の受光部と第２の受光部を有するものを使用し、この第１の受光部と第２の受光部の強度が同じになるように光源をθＸ方向に調整する
請求項５記載の光ヘッド装置の製造方法。
【請求項７】
前記第２の受光素子として、受光部がＸ方向に２分割し、さらにＹ方向に２分割した４分割の受光部を有するものを使用し、この４つの受光部の強度が同じになるように光源をθＸ方向とθＹ方向に調整する
請求項５記載の光ヘッド装置の製造方法。
【発明の詳細な説明】
【０００１】
【発明の属する技術分野】
本発明は、データや画像、音声等の情報信号の記録、再生、消去等を行う光ディスク装置における光ヘッド装置に関するものである。
【０００２】
【従来の技術】
近年、円盤状の情報媒体（以下、光ディスクと称す）を用いて情報の記録および再生を行う装置（以下、光ディスク装置を称す）は、その大容量性と高速性の利点が認められて音声、画像およびデータ記録等に広く利用されている。
【０００３】
その中で、光ヘッド装置を改良して、光ディスク装置の高性能化や低価格化することが要望されている。
図２は従来の光ヘッド装置を示す。
【０００４】
光源１より出射された光は偏光ビームスプリッタ２を透過し、コリメートレンズ３によって平行光になる。この平行光は、反射ミラー４で上方に反射され、さらに回折素子５を透過し、１／４波長板６で直線偏光から円偏光になり、対物レンズ７によって集光されて図示しない光ディスクに光スポットとして集光される。この光スポットによって情報の再生や記録、消去が可能となる。２１は後述する調整用の受光器である。
【０００５】
この他、光ヘッド装置には、図示されていないが対物レンズ７を駆動して前記光スポットを前記光ディスク上に制御する対物レンズ駆動装置が設けられている。
【０００６】
前記光ディスクからの反射光は、出射光の光路とは反対方向に進み、対物レンズ７を透過し、１／４波長板６を再度透過することで光源１からの出射光の偏光方向とは垂直な方向の直線偏光となり、回折素子５により回折光が得られる。この回折光は反射ミラー４で反射され、コリメートレンズ３で集光光となり偏光ビームスプリッタ２により出射光の光路と別の光路に分離され、受光素子８に配備された回折光受光部９に入射する。
【０００７】
高性能化のためには、対物レンズ７を透過するビーム光の光強度分布の中心と開口中心とを一致させる必要がある。しかし、光学部品の特性や各光学部品の取付誤差などによりズレが生じないように、従来では、次のような方法が提案されている。
【０００８】
対物レンズ７を透過するビーム光の光強度分布の中心と図示しない開口中心とは、光学部品の特性や光学部品の取り付け誤差などによりズレが生じる。そのため、従来では、対物レンズ７を透過するビーム光をＣＣＤ等の受光器２１で受光し、その強度分布をパソコン等の演算によりズレを認識し、光源１を任意の角度に傾けて調整している。
【０００９】
また、前記光ディスクからの反射光については、受光素子８を移動して回折光受光部９での信号が最適となるように、最後に調整する。
この受光素子８で、例えば非点収差法によってフォーカスエラー信号（ＦＥ）の検出が行われ、例えばプッシュプル法によってトラックエラー信号ＴＥの検出が行われ、これらの信号の組み合わせにより図示しない光ディスクのデータ信号となる情報信号（ＲＦ）の検出が行われる（例えば、特許文献１参照）。
【００１０】
【特許文献１】
特開２００２−１７５６３８号公報（第４−７頁，図２）
【００１１】
【発明が解決しようとする課題】
しかしながら従来の光ヘッド装置において、図２に示した例では、光強度分布中心測定のための基準を取ることが困難で、そのため調整誤差が生じて高精度化が困難である。
【００１２】
また、対物レンズ７の位置および傾きにより強度分布中心値が大きく異なる。
さらに、測定装置が複雑であると同時に、演算装置を有するため光強度分布の中心ズレ測定に時間を要するのが現状である。また、設備が大型化になっていた。
【００１３】
本発明は、調整誤差が少なく、調整が容易で、信号品質が安定した高性能な光ヘッド装置を提供することを目的とする。
【００１４】
【課題を解決するための手段】
この課題を解決するために本発明の光ヘッド装置は、光源からの光強度分布を受光するための受光素子を設けたことを特徴とするものである。
【００１５】
この発明によれば、調整用の受光器２１などを光ヘッド装置とは別に用意しなくても容易に光源の傾きを調整することができる。また、従来よりも調整誤差が少なく、信号品質が安定した高性能な光ヘッド装置が得られる。
【００１６】
本発明の光ヘッド装置は、光を出射する光源と、前記光源からの光を情報媒体上へ導く光学系と、前記光学系からの光を集光して前記情報媒体上に光スポットを形成する対物レンズと、前記光学系に介装されて前記情報媒体で反射した光を回折させ回折光を得るための回折素子と、前記回折素子より回折した回折光を検出する回折光受光部を備えた第１の受光素子と、前記光源からの光強度分布を受光するための第２の受光素子とを設けたことを特徴とする。
【００１７】
また、前記第２の受光素子の受光部を複数に分割したことを特徴とする。
また、前記第２の受光素子を、略平行光で受光する位置に配備したことを特徴とする。
【００１８】
また、前記第２の受光素子を、前記光源からの光を情報媒体上へ導く光学系のうちの、光源の光路を前記情報媒体の方向に折り曲げるハーフミラーの背面に、このハーフミラーからの透過光を受光するように配設したことを特徴とする。
【００１９】
本発明の光ヘッド装置の製造方法は、光源からの光を光学系を介して対物レンズによって情報媒体上に光スポットを形成し、前記情報媒体で反射した光を回折素子によって回折させ、前記回折素子より回折した回折光を第１の受光素子で検出して記録再生する光ヘッド装置の前記光源の傾きを調整するに際し、複数に分割された受光部を設けた第２の受光素子によって前記光源からの光強度分布を受光し、前記複数の受光部の強度演算の結果が目標値に近づくように前記光源の傾きを調整することを特徴とする。
【００２０】
また、前記第２の受光素子として、受光部がＸ方向に２分割された第１の受光部と第２の受光部を有するものを使用し、この第１の受光部と第２の受光部の強度が同じになるように光源をθＸ方向に調整することを特徴とする。
【００２１】
また、前記第２の受光素子として、受光部がＸ方向に２分割し、さらにＹ方向に２分割した４分割の受光部を有するものを使用し、この４つの受光部の強度が同じになるように光源をθＸ方向とθＹ方向に調整することを特徴とする。
【００２２】
【発明の実施の形態】
以下、本発明の実施の形態について図１（ａ）（ｂ）（ｃ）を用いて説明する。
【００２３】
図１（ａ）は光ヘッド装置の構成概略図，図１（ｂ）は光強度中心認識用受光素子の正面図を示す。
光源１からの光強度分布を受光するための第２の受光素子１０を配備している点が従来例を示す図２と異なっている点である。
【００２４】
詳しくは、光源１より出射された光は偏光ビームスプリッタ２を透過し、コリメートレンズ３によって平行光になる。この平行光は、反射ミラー４で上方に反射され回折素子５を透過し１／４波長板６で直線偏光から円偏光になり、対物レンズ７によって図示しない光ディスクに光スポットとして集光される。この光スポットによって情報の再生や記録、消去が可能となる。この他、光ヘッド装置には、図示されていないが対物レンズ７を駆動して前記光スポットを前記光ディスク上に制御する対物レンズ駆動装置が設けられている。また、反射ミラー４はハーフミラーである。
【００２５】
なお、ここで言うハーフミラーは、鏡に当たった光線の総てを反射せず、その光量のわずかでも透過させる性質を持った半透明鏡のことを言う。
また、光ヘッド装置の使用時の前記光ディスクからの反射光は、出射光の光路とは反対方向に進み、対物レンズ７を透過し１／４波長板６を再度透過することで光源１からの出射光の偏光方向とは垂直な方向の直線偏光となり、回折素子５により回折光が得られる。この回折光は反射ミラー４で反射され、コリメートレンズ３で集光光となり偏光ビームスプリッタ２により出射光の光路と別の光路に分離され、第１の受光素子としての受光素子８に入射する。
【００２６】
この受光素子８で、例えば非点収差法によってフォーカスエラー信号（ＦＥ）の検出が行われ、例えばプッシュプル法によってトラックエラー信号ＴＥの検出が行われ、これらの信号の組み合わせにより、前記光ディスクのデータ信号となる情報信号（ＲＦ）の検出が行われる。
【００２７】
さらに、この実施の形態の光ヘッド装置では、光強度中心認識用の第２の受光素子としての受光素子１０が反射ミラー４の裏面側に備えられている。光源１より出射された光は、偏光ビームスプリッタ２およびコリメートレンズ３を透過し、その大部分は反射ミラー４で反射されて前記光ディスクの側に照射されるが、少量の光は反射ミラー４を透過し、反射ミラー４の裏面側に配備された受光素子１０に照射される。
【００２８】
次に、この受光素子１０を使用しての調整方法を詳しく説明する。
従来例を示す図２の場合のように、対物レンズ７を透過するビーム光の光強度分布の中心と開口中心とは対物レンズ７からのビーム光を図示しない受光器８で受光しその信号から演算装置を用いて中心ズレ量を測定する従来の調整方法では、調整誤差が生じやすく、調整に時間を要すると共に設備が大型化になっていたのに対して、この実施の形態の光ヘッド装置では、図１（ａ）に示すように、Ｘ方向のみ光強度中心を調整する必要があるため、光源１はθＸ方向に任意の角度可変できるよう配備され、また反射ミラー４は少量光を透過できる構成となっている。
【００２９】
光源１より出射された光は、前述のように、偏光ビームスプリッタ２およびコリメートレンズ３を透過し、大部分は反射ミラー４で反射され上方に、また少量の光は反射ミラー４を透過し、反射ミラー４の裏面側に配備された光強度中心認識用受光素子１０に照射される。
【００３０】
図１（ｂ）に示すように受光素子１０は、Ｘ方向に２分割された第１の受光部１１ａと第２の受光部１１ｂが配備され、反射ミラー４からの透過光１２が受光素子１０に照射される。そこで、第１の受光部１１ａと第２の受光部１１ｂの強度が同じになるように光源１をθＸ方向に調整するだけで調整できる。
【００３１】
光強度中心の調整に先立って、偏光ビームスプリッタ２およびコリメートレンズ３はあらかじめ所定の位置に固定し、光源１のコリメートレンズに対する相対位置を可変して光軸を所定の角度に調整しておくことが好ましい。
【００３２】
その後、回折素子５と１／４波長板６と対物レンズ７と図示しない開口を高精度に調整することで光ヘッド装置が構成される。
なお、θＸの一方向のみ調整するため、受光素子１０は第１の受光部１１ａと第２の受光部１１ｂの２分割されていたが、受光素子１０の受光部を図１（ｃ）に示すように、θＸ方向とθＹ方向にそれぞれ２分割した第１，第２，第３，第４の受光部１１ａ，１１ｂ，１１ｃ，１１ｄを設け、この第１，第２，第３，第４の受光部１１ａ，１１ｂ，１１ｃ，１１ｄの受光の強度が同じになるように光源１をθＸ方向とθＹ方向に調整することで、θＸ・θＹの２方向同時の調整も可能である。
【００３３】
これにより、調整誤差が少なく、調整が容易で、信号品質が安定した高性能光ヘッド装置が得られる。
【００３４】
【発明の効果】
以上のように本発明の光ヘッド装置は、光源からの光強度分布を受光するための第２の受光素子を内蔵しているので、従来のように調整用の受光器などを光ヘッド装置とは別に用意しなくても容易に光源の傾きを調整することができ、従来の光ヘッド装置に比べて調整装置が簡単で、調整誤差が少なく、簡単な調整で、信号品質の安定した品質の光ヘッド装置が得られる。
【図面の簡単な説明】
【図１】（ａ）本発明の実施の形態における光ヘッド装置の構成図
（ｂ）本発明の実施の形態における光強度中心認識用受光素子の正面図
（ｃ）本発明の別の実施例の光強度中心認識用受光素子の正面図
【図２】従来例における光ヘッド装置の構成図
【符号の説明】
１    光源
２    偏光ビームスプリッタ
３    コリメートレンズ
４    反射ミラー（ハーフミラー）
５    回折素子
６    １／４波長板
７    対物レンズ
８    第１の受光素子
９    回折光受光部
１０    第２の受光素子
１１ａ    第１の受光部
１１ｂ    第２の受光部
１２    透過光
【図１】
2004310845.tif 000003
【図２】
2004310845.tif 000004